(57)【要約】【課題】バルコニー完成までの工程を簡略化し、短期間で完成させることを可能にするバルコニー設計装置およびバルコニー設計プログラム、並びにバルコニー製造装置の提供。【解決手段】建物のバルコニーの領域を示すバルコニー領域情報と、下地合板の幅寸法、下地合板を配置する際の隙間の寸法、および、バルコニーの際に配置される下地合板の幅の最小寸法とから、バルコニーの領域内に下地合板の自動割り付けを行い、割り付けられた各下地合板の形状および各部寸法を記憶する下地合板割付手段１２と、この下地合板割付手段１２により割り付けられた各下地合板の形状および各部寸法から各下地合板の加工図を生成するとともに、ジョイントベース、カバーキャップおよびスプリングキャッチャーのそれぞれの長さ寸法と、葺上材の各部寸法とを算出し、板金加工図を生成する加工図生成手段１３とを有する。【選択図】図１
2008059381.tif 000002
【特許請求の範囲】
【請求項１】
所定の隙間を空けて配置される下地合板と、
前記隙間に嵌め込まれる略断面Ｕ字状部を有する受け部材としてのジョイントベースと、
前記下地合板上に前記隙間の位置に目地を合わせて敷設される葺上材と、
この葺上材の目地に合わせて嵌め入れられる嵌入部および目地を覆うカバー部を有するカバーキャップと、
前記ジョイントベースの略断面Ｕ字状部内に配設され前記カバーキャップの嵌入部を保持する条溝部および前記葺上材の目地の周りの縁部を支持する平坦部を有する保持部材としてのスプリングキャッチャーと
を含むバルコニーの設計装置であって、
建物のバルコニーの領域を示すバルコニー領域情報を記憶する手段と、
前記下地合板の幅寸法、前記下地合板を配置する際の隙間の寸法、および、前記バルコニーの際に配置される下地合板の幅の最小寸法を設定する手段と、
前記ジョイントベース、カバーキャップおよびスプリングキャッチャーの各部の基本寸法と、前記葺上材、ジョイントベース、カバーキャップおよびスプリングキャッチャーの基本展開図とを記憶する初期情報記憶手段と、
前記バルコニー領域情報と、前記下地合板の幅寸法、前記下地合板を配置する際の隙間の寸法、および、前記バルコニーの際に配置される下地合板の幅の最小寸法とから、前記バルコニーの領域内に前記下地合板の自動割り付けを行い、割り付けられた各下地合板の形状および各部寸法を記憶する下地合板割付手段と、
この下地合板割付手段により割り付けられた各下地合板の形状および各部寸法から各下地合板の加工図を生成する手段と、
前記各下地合板の形状および各部寸法と、前記初期情報記憶手段に記憶されたジョイントベース、葺上材、カバーキャップおよびスプリングキャッチャーの各部の基本寸法とから、前記ジョイントベース、カバーキャップおよびスプリングキャッチャーのそれぞれの長さ寸法と、前記葺上材の各部寸法とを算出し、前記初期情報記憶手段に記憶されたジョイントベース、カバーキャップおよびスプリングキャッチャーの基本展開図から前記葺上材、ジョイントベース、カバーキャップおよびスプリングキャッチャーの板金加工図を生成する手段と
を有するバルコニー設計装置。
【請求項２】
前記バルコニー領域情報を前記建物の構造伏図上の領域を指定することにより入力するバルコニー領域入力手段を有する請求項１記載のバルコニー設計装置。
【請求項３】
さらに、前記バルコニーを囲む壁の芯から前記バルコニーの際までのオフセット寸法を設定する手段を有し、
前記バルコニー領域入力手段は、前記バルコニーを囲む壁の芯の位置により前記領域を指定するものであり、
前記下地合板割付手段は、前記オフセット寸法を考慮して前記下地合板の自動割り付けを行うものである
請求項１または２に記載のバルコニー設計装置。
【請求項４】
請求項１から３のいずれかに記載のバルコニー設計装置としてコンピュータを機能させるためのバルコニー設計プログラム。
【請求項５】
請求項１から３のいずれかに記載のバルコニー設計装置と、
前記各下地合板の加工図に基づいて各下地合板を加工する装置と、
前記葺上材、ジョイントベース、カバーキャップおよびスプリングキャッチャーの板金加工図に基づいて板金加工する装置と
を有するバルコニー製造装置。
【発明の詳細な説明】
【技術分野】
【０００１】
本発明は、建物のバルコニーを設計するためのバルコニー設計装置およびバルコニー設計プログラム、並びにバルコニー製造装置に関する。
【背景技術】
【０００２】
建物の一部に設けられるバルコニーの防水構造として、例えば、図２５および図２６に示すバルコニー５０がある。図２５は縦断面図、図２６は分解斜視図である。このバルコニー５０は、特許文献１に記載の屋根と同様の構造を有し、下地合板５１ａ，５１ｂの上に発泡ポリエチレンシート５２、ジョイントベース５３、スプリングキャッチャー５４、葺上材５５、カバーキャップ５６を重ねた構成である。
【０００３】
また、従来、このバルコニー５０を施工する際には、建物の躯体が組み上がった後、この建物のバルコニー部分に、バルコニー５０の下地として下地合板５１ａ，５１ｂを現場で加工して取り付け、この下地の確認および寸法採取を行う。そして、この採取した寸法に従い、工場にて加工したジョイントベース５３およびスプリングキャッチャー５４を設置し、葺上材５５およびカバーキャップ５６を取り付ける。
【０００４】
【特許文献１】特公昭６３−６５７８９号公報（第２図）
【発明の開示】
【発明が解決しようとする課題】
【０００５】
上述のように、上記構成のバルコニー５０は、建物の躯体が組み上がった後に、バルコニー５０の下地として下地合板５１ａ，５１ｂを現場で加工して取り付け、この下地の確認および寸法採取を行う必要がある。そのため、バルコニー５０の完成までに現場と工場とを何度も行き来することになり、完成までの期間が長くなってしまうという問題がある。
【０００６】
そこで、本発明においては、バルコニー完成までの工程を簡略化し、短期間で完成させることを可能にするバルコニー設計装置およびバルコニー設計プログラム、並びにバルコニー製造装置を提供することを目的とする。
【課題を解決するための手段】
【０００７】
本願のバルコニー設計装置は、所定の隙間を空けて配置される下地合板と、隙間に嵌め込まれる略断面Ｕ字状部を有する受け部材としてのジョイントベースと、下地合板上に隙間の位置に目地を合わせて敷設される葺上材と、この葺上材の目地に合わせて嵌め入れられる嵌入部および目地を覆うカバー部を有するカバーキャップと、ジョイントベースの略断面Ｕ字状部内に配設されカバーキャップの嵌入部を保持する条溝部および葺上材の目地の周りの縁部を支持する平坦部を有する保持部材としてのスプリングキャッチャーとを含むバルコニーの設計装置であって、建物のバルコニーの領域を示すバルコニー領域情報を記憶する手段と、下地合板の幅寸法、下地合板を配置する際の隙間の寸法、および、バルコニーの際に配置される下地合板の幅の最小寸法を設定する手段と、ジョイントベース、カバーキャップおよびスプリングキャッチャーの各部の基本寸法と、葺上材、ジョイントベース、カバーキャップおよびスプリングキャッチャーの基本展開図とを記憶する初期情報記憶手段と、バルコニー領域情報と、下地合板の幅寸法、下地合板を配置する際の隙間の寸法、および、バルコニーの際に配置される下地合板の幅の最小寸法とから、バルコニーの領域内に下地合板の自動割り付けを行い、割り付けられた各下地合板の形状および各部寸法を記憶する下地合板割付手段と、この下地合板割付手段により割り付けられた各下地合板の形状および各部寸法から各下地合板の加工図を生成する手段と、各下地合板の形状および各部寸法と、初期情報記憶手段に記憶されたジョイントベース、葺上材、カバーキャップおよびスプリングキャッチャーの各部の基本寸法とから、ジョイントベース、カバーキャップおよびスプリングキャッチャーのそれぞれの長さ寸法と、葺上材の各部寸法とを算出し、初期情報記憶手段に記憶されたジョイントベース、カバーキャップおよびスプリングキャッチャーの基本展開図から葺上材、ジョイントベース、カバーキャップおよびスプリングキャッチャーの板金加工図を生成する手段とを有するバルコニー設計装置である。
【０００８】
本発明によれば、建物のバルコニーの領域を示すバルコニー領域情報と、設定された下地合板の幅寸法、下地合板を配置する際の隙間の寸法、および、バルコニーの際に配置される下地合板の幅の最小寸法とから、バルコニーの領域内に下地合板の自動割り付けが行われ、この割り付けられた各下地合板の形状および各部寸法から各下地合板の加工図が生成される。また、この割り付けられた各下地合板の形状および各部寸法と、初期情報記憶手段に記憶されたジョイントベース、葺上材、カバーキャップおよびスプリングキャッチャーの各部の基本寸法とから、ジョイントベース、カバーキャップおよびスプリングキャッチャーのそれぞれの長さ寸法と、葺上材の各部寸法とが算出され、初期情報記憶手段に記憶されたジョイントベース、カバーキャップおよびスプリングキャッチャーの基本展開図から葺上材、ジョイントベース、カバーキャップおよびスプリングキャッチャーの板金加工図が生成される。
【０００９】
また、本発明のバルコニー設計装置は、バルコニー領域情報を建物の構造伏図上の領域を指定することにより入力するバルコニー領域入力手段を有することが望ましい。本発明によれば、建物の構造伏図上の領域を指定することでバルコニー領域情報を簡単に入力することができ、この入力されたバルコニー領域情報に基づいて前述の各下地合板の加工図と、葺上材、ジョイントベース、カバーキャップおよびスプリングキャッチャーの板金加工図とが生成される。
【００１０】
さらに、本発明のバルコニー設計装置は、バルコニーを囲む壁の芯からバルコニーの際までのオフセット寸法を設定する手段を有し、バルコニー領域入力手段が、バルコニーを囲む壁の芯の位置により領域を指定するものであり、下地合板割付手段は、オフセット寸法を考慮して下地合板の自動割り付けを行うものであることが望ましい。これにより、バルコニーを囲む壁の芯の位置により領域を指定すれば、バルコニーを囲む壁の芯からバルコニーの際までのオフセット寸法を考慮して下地合板の自動割り付けが行われ、前述の各下地合板の加工図と、葺上材、ジョイントベース、カバーキャップおよびスプリングキャッチャーの板金加工図とが生成される。
【００１１】
また、本発明のバルコニー設計プログラムは、上記バルコニー設計装置としてコンピュータを機能させるためのバルコニー設計プログラムである。このプログラムを実行したコンピュータによれば、上記本発明のバルコニー装置と同様に、各下地合板の加工図と、葺上材、ジョイントベース、カバーキャップおよびスプリングキャッチャーの板金加工図とが生成される。
【００１２】
また、本発明のバルコニー製造装置は、上記バルコニー設計装置と、各下地合板の加工図に基づいて各下地合板を加工する装置と、葺上材、ジョイントベース、カバーキャップおよびスプリングキャッチャーの板金加工図に基づいて板金加工する装置とを有するものである。本発明のバルコニー製造装置によれば、前述のように生成された各下地合板の加工図と、葺上材、ジョイントベース、カバーキャップおよびスプリングキャッチャーの板金加工図とから各下地合板および板金が加工される。
【発明の効果】
【００１３】
（１）建物のバルコニーの領域を示すバルコニー領域情報と、設定された下地合板の幅寸法、下地合板を配置する際の隙間の寸法、および、バルコニーの際に配置される下地合板の幅の最小寸法とから、バルコニーの領域内に下地合板の自動割り付けが行われ、各下地合板の加工図と、葺上材、ジョイントベース、カバーキャップおよびスプリングキャッチャーの板金加工図とが生成されるので、これらの加工図によりバルコニーを構成する各部材を工場で加工することができる。すなわち、建物の設計時にバルコニー領域情報を入力してバルコニーを構成する各部材を工場で加工することができ、従来のように建物の躯体が組み上がった後にバルコニーの下地を現場で加工して取り付け、この下地の確認および寸法採取を行う必要がなくなり、バルコニー完成までの工程を簡略化し、短期間で完成させることが可能となる。
【００１４】
（２）バルコニー領域情報を建物の構造伏図上の領域を指定することにより入力するバルコニー領域入力手段を有することにより、建物の構造伏図上の領域を指定することでバルコニー領域情報を簡単に入力することが可能となり、建物の設計時に入力される構造伏図を利用して簡単にバルコニーの設計およびこのバルコニーを構成する各部材の加工を行うことが可能となる。
【００１５】
（３）バルコニーを囲む壁の芯からバルコニーの際までのオフセット寸法を設定する手段を有し、バルコニー領域入力手段が、バルコニーを囲む壁の芯の位置により領域を指定するものであり、下地合板割付手段は、オフセット寸法を考慮して下地合板の自動割り付けを行うものであることにより、バルコニーを囲む壁の芯の位置により領域を指定すれば、バルコニーを囲む壁の芯からバルコニーの際までのオフセット寸法を考慮して下地合板の自動割り付けが行われ、各下地合板の加工図と、葺上材、ジョイントベース、カバーキャップおよびスプリングキャッチャーの板金加工図とが生成されるので、より簡単にバルコニーの設計およびこのバルコニーを構成する各部材の加工を行うことが可能となる。
【発明を実施するための最良の形態】
【００１６】
図１は本発明の実施の形態におけるバルコニー製造装置の構成を示すブロック図である。図１において、本発明の実施の形態におけるバルコニー製造装置は、建物のバルコニーを設計するバルコニー設計装置１と、バルコニー設計装置１により設計されたバルコニーを構成する各部材を加工する加工装置２とから構成される。バルコニー設計装置１は、キーボード、ポインティングデバイス等の入力装置、ディスプレイ等の表示装置や、プリンタ等の印刷装置などを備えたコンピュータ上で、バルコニー設計プログラムを実行することにより実現される。
【００１７】
バルコニー設計装置１は、図２５および図２６において説明したように、下地合板５１ａ，５１ｂの上に発泡ポリエチレンシート５２、ジョイントベース５３、スプリングキャッチャー５４、葺上材５５、カバーキャップ５６を重ねた構成のバルコニー５０を設計するものである。上側の下地合板５１ｂは、所定の隙間６０を空けて配置される。ジョイントベース５３は、スプリングキャッチャー５４を受ける受け部材であり、隙間６０に嵌め込まれる略断面Ｕ字状部５３ａと、この略断面Ｕ字状部５３ａの両上縁に接続された肩部５３ｂとを有する。
【００１８】
葺上材５５は、下地合板５１ｂ上に隙間６０の位置に目地を合わせて敷設されるものである。カバーキャップ５６は、この葺上材５５の目地に合わせて嵌め入れられる嵌入部５６ａと、目地を覆うカバー部５６ｂとを有する。スプリングキャッチャー５４は、葺上材５５およびカバーキャップ５６を保持する保持部材であり、ジョイントベース５３の略断面Ｕ字状部５３ａ内に配設され、カバーキャップ５６の嵌入部５６ａを保持する条溝部５４ａと、葺上材５５の目地の周りの縁部５５ａを支持する平坦部５４ｂと、平坦部５４ｂを条溝部５４ａとともに支持する脚部５４ｃとを有する。
【００１９】
図１に示すように、バルコニー設計装置１は、バルコニー５０を構成する下地合板５１ａ，５１ｂ等についての初期値を設定する初期設定手段１０と、バルコニー５０に関する設計値を入力する設計入力手段１１と、下地合板５１ａ，５１ｂの自動割り付けを行う下地合板割付手段１２と、バルコニー５０を構成する下地合板５１ａ，５１ｂ、ジョイントベース５３、スプリングキャッチャー５４、葺上材５５やカバーキャップ５６等の各部材の加工図を生成する加工図生成手段１３と、各値を記憶する記憶手段１４とを有する。
【００２０】
図２は初期設定手段１０により初期値を設定する際の設定画面の例を示している。また、図３は図２の設定画面により設定する各項目のバルコニー５０における該当部分を説明する縦断面図である。図２に示すように、初期設定手段１０では、下地合板５１ａ，５１ｂについて、樹種、等級、長さ（縦）・幅（横）・厚さの基本寸法（サイズ）、上合板オフセット（下地合板５１ｂを配置する際の隙間６０の寸法Ａ（図３参照。））、および、際合板幅制限値（バルコニー５０の際に配置される下地合板５１ａ，５１ｂの幅Ｂ（図３参照。）の最小寸法）を設定することができる。
【００２１】
また、初期設定手段１０では、バルコニー５０を受ける根太７０（図３参照。）について、樹種、等級、幅（Ｗ）・厚さ（Ｈ）の基本寸法（材寸）、ピッチ、および、際根太オフセット（バルコニーの際に配置される根太７０の芯からバルコニー５０の際までのオフセット寸法）Ｃ（図３参照。）を設定することができる。なお、ピッチについては、根太７０の芯間の距離を指定するか、あるいは下地合板５１ａ，５１ｂの幅に対する比を指定することができる。
【００２２】
同様に、初期設定手段１０では、下地合板５１ａ，５１ｂおよび根太７０の勾配、樋７１（図６参照。）の幅（巾）、葺上材５５等の板金の壁立上り高、外壁側および手摺壁側のバルコニーオフセット（バルコニー５０を囲む外壁８０（図２３参照。）および手摺壁８１（図３，図２３参照。）の芯からバルコニーの際までのオフセット寸法）Ｄ（図３参照。）、および、板金材質を設定することができる。初期設定手段１０により設定される各値は、記憶手段１４に記憶される。
【００２３】
また、記憶手段１４には、バルコニーを構成する各部品の初期情報として、ジョイントベース５３、カバーキャップ５６およびスプリングキャッチャー５４の各部の基本寸法と、葺上材５５、ジョイントベース５３、カバーキャップ５６およびスプリングキャッチャー５４の基本展開図とが記憶されている。
【００２４】
設計入力手段１１は、建物のバルコニー５０の領域を示すバルコニー領域情報を入力するものである。図４は設計入力手段１１によりバルコニー領域情報を入力する際の入力画面の例を示している。図４の例では、バルコニー５０の領域Ｇを平面上の２点Ｅ，Ｆを指定することにより入力している。バルコニー５０の領域Ｇは、この２点Ｅ，Ｆを対角線とする矩形として入力される。同様に、図４の例では、建物の外壁８０を示す外壁線Ｈについても、バルコニー領域情報として入力している。なお、バルコニー５０の領域Ｇは、バルコニー５０を囲む壁の芯の位置により指定される。また、図示しないが、ここでバルコニー５０の水の流れ方向についても指定する。設計入力手段１１により入力されたバルコニー領域情報は、記憶手段１４に記憶される。
【００２５】
また、この設計入力手段１１は、建築する建物そのものの各種設計データを入力するためのＣＡＤ入力手段に含めることも可能である。この場合のＣＡＤ入力手段としては、例えば特開２００５−１５７８３９号公報に記載の意匠データ入力装置等を利用することができる。このように設計入力手段１１をＣＡＤ入力手段に含めた場合、バルコニー領域情報は、建物の構造伏図上の領域を指定することにより入力することが可能である。図８は建物の構造伏図上の領域を指定することによりバルコニー領域情報を入力する例を示す図、図９は図８の構造伏図の別のレイヤを示す図である。
【００２６】
下地合板割付手段１２は、バルコニー５０の領域内に下地合板５１ａ，５１ｂの自動割り付けを行うものである。割り付けられた各下地合板の形状および各部寸法は、記憶手段１４に記憶される。下地合板割付手段１２は、設計入力手段１１により入力されたバルコニー領域情報と、初期設定手段１０により設定された下地合板の幅の基本寸法、上合板オフセットおよび際合板幅制限値から、バルコニー５０の領域内に下地合板の自動割り付けを行う。このとき、下地合板割付手段１２は、バルコニー５０を囲む壁、すなわち外壁８０および手摺壁８１の芯からバルコニーの際までのオフセット寸法を考慮して下地合板の自動割り付けを行う。
【００２７】
なお、本実施形態の下地合板割付手段１２では、上側の下地合板５１ｂを割り付ける際、下地合板５１ｂの幅の中央を中心とするか、あるいは、目地を中心とするか、任意に選択することが可能である。また、下地合板割付手段１２は、バルコニーの際に配置される下地合板５１ｂについては、際合板幅制限値以上となるように目地の位置を調整する。この目地の位置については、手動で調整することも可能である。また、下地合板割付手段１２は、この段階で下側の下地合板５１ａおよび根太７０の自動割り付けを行う。図５は下地合板割付手段１２により割り付けられた下地合板５１ａ，５１ｂの例を示している。図５に示すように、下地合板割付手段１２では、下側の下地合板５１ａと上側の下地合板５１ｂとでレイヤを分けて処理する。
【００２８】
また、本実施形態における下地合板割付手段１２は、設計入力手段１１により樋７１が配置された場合に、この樋７１の幅や壁の厚さを考慮して下地合板５１ａ，５１ｂおよび根太７０の補正を行う。図６は設計入力手段１１により樋７１を配置する例を示している。樋７１の配置は、バルコニー領域Ｇの輪郭線で樋７１が入る部分をカーソルＫによって指定することにより行う。樋７１が配置されると、右下の画面に示すように樋７１の部分がバルコニー領域Ｇ内に、例えば青色の斜線により表示される。また、この樋７１の縦ドレインおよび横ドレインについてもここで配置する。図７は樋７１を配置後、補正された下地合板５１ｂの例を示している。また、図１０は図８および図９に示したバルコニーについての上側の下地合板の割り付け例を示す図、図１１は下側の下地合板の割り付け例を示す図である。
【００２９】
加工図生成手段１３は、加工装置２により下地合板５１ａ，５１ｂ、ジョイントベース５３、スプリングキャッチャー５４、葺上材５５やカバーキャップ５６等の各部材を加工するための加工図を生成するものである。また、加工図生成手段１３は、下地合板割付手段１２により割り付けられた各下地合板５１ａ，５１ｂの形状および各部寸法から加工図を生成する。図１２および図１３は、図１０および図１１に示すバルコニーの各下地合板の加工図を示している。
【００３０】
また、加工図生成手段１３は、各下地合板５１ａ，５１ｂの形状および各部寸法と、記憶手段１４に記憶された各部品の初期情報としての各部の基本寸法から、ジョイントベース５３、カバーキャップ５６およびスプリングキャッチャー５４のそれぞれの長さ寸法と、葺上材５５の各部寸法とを算出し、記憶手段１４に記憶された各部品の初期情報としての基本展開図から葺上材５５、ジョイントベース５３、カバーキャップ５６およびスプリングキャッチャー５４の板金加工図を生成する。
【００３１】
図１４は図１０および図１１に示すバルコニーの板金全体図、図１５は図１４に示す本体（「葺上材５５」を指す。以下同じ。）１−１の板金加工図、図１６は図１４に示す本体１−２の板金加工図、図１７は図１４に示す本体１−３の板金加工図、図１８は図１４に示す本体１−４，１−５，１−６の板金加工図、図１９は図１４に示す本体１−７の板金加工図、図２０，図２１，図２２はそれぞれ図１４に示す樋１−１，１−２，１−３の板金加工図である。なお、図示しないが、ジョイントベース５３、カバーキャップ５６およびスプリングキャッチャー５４についても同様の板金加工図が生成される。また、加工図生成手段１３は、図２３に示すバルコニー下地割付図、図２４に示すバルコニー板金部品一覧を生成する。
【００３２】
加工装置２は、加工図生成手段１３により生成された各加工図に基づいて各部材の切り出しや折り曲げ等の加工を行うものである。この加工装置２により、バルコニー５０を構成する各部材がすべて工場内で加工されるので、現地ではこの加工された各部材を組み立てるだけでバルコニー５０を完成させることができる。
【００３３】
以上のように、本実施形態におけるバルコニー製造装置では、建物のバルコニー５０の領域を示すバルコニー領域情報と、設定された下地合板５１ａ，５１ｂの幅寸法、下地合板５１ａ，５１ｂを配置する際の隙間６０の寸法やバルコニー５０の際に配置される下地合板５１ｂの幅の最小寸法等とから、バルコニー５０の領域内に下地合板５１ａ，５１ｂの自動割り付けが行われ、各下地合板５１ａ，５１ｂの加工図と、葺上材５５、ジョイントベース５３、カバーキャップ５６およびスプリングキャッチャー５４の板金加工図とが生成される。そして、これらの加工図によりバルコニー５０を構成する各部材が、加工装置２により工場で加工される。
【００３４】
すなわち、本実施形態におけるバルコニー製造装置では、建物の設計時にバルコニー領域情報を入力してバルコニー５０を構成する下地合板５１ａ，５１ｂ、葺上材５５、ジョイントベース５３、カバーキャップ５６やスプリングキャッチャー５４等の各部材を工場で加工することができ、従来のように建物の躯体が組み上がった後にバルコニー５０の下地を現場で加工して取り付け、この下地の確認および寸法採取を行う必要がなくなり、完成までの工程を簡略化して、短期間で完成させることが可能である。
【００３５】
また、本実施形態におけるバルコニー製造装置では、バルコニー領域情報を建物の構造伏図上の領域を指定して入力することが可能である。この建物の構造伏図には、建物のバルコニーの領域の梁や柱の位置を含む設計値が含まれており、建物の構造伏図上の領域を指定することでバルコニー領域情報を簡単に入力することが可能である。すなわち、建物の設計時に入力される構造伏図を利用して簡単にバルコニーの設計およびこのバルコニーを構成する各部材の加工を行うことが可能である。
【００３６】
また、本実施形態におけるバルコニー製造装置では、バルコニー５０を囲む壁の芯の位置により領域を指定すると、バルコニー５０を囲む壁の芯からバルコニー５０の際までのオフセット寸法を考慮して下地合板５１ａ，５１ｂの自動割り付けが行われ、各下地合板５１ａ，５１ｂの加工図と、葺上材５５、ジョイントベース５３、カバーキャップ５６やスプリングキャッチャー５４等の板金加工図とが生成されるので、より簡単にバルコニー５０の設計およびこのバルコニー５０を構成する各部材の加工を行うことが可能である。
【産業上の利用可能性】
【００３７】
本発明は、建物のバルコニーを設計するための装置およびプログラム、並びにバルコニーの各部材を製造する製造装置として有用である。
【図面の簡単な説明】
【００３８】
【図１】本発明の実施の形態におけるバルコニー製造装置の構成を示すブロック図である。
【図２】初期設定手段により初期値を設定する際の設定画面の例を示す図である。
【図３】図２の設定画面により設定する各項目のバルコニーにおける該当部分を説明する縦断面図である。
【図４】設計入力手段によりバルコニー領域情報を入力する際の入力画面の例を示す図である。
【図５】下地合板割付手段により割り付けられた下地合板の例を示す図である。
【図６】設計入力手段により樋を配置する例を示す図である。
【図７】樋配置後、補正された下地合板の例を示す図である。
【図８】建物の構造伏図上の領域を指定することによりバルコニー領域情報を入力する例を示す図である。
【図９】図８の構造伏図の別のレイヤを示す図である。
【図１０】図８および図９に示したバルコニーについての上側の下地合板の割り付け例を示す図である。
【図１１】図８および図９に示したバルコニーについての下側の下地合板の割り付け例を示す図である。
【図１２】図１０および図１１に示すバルコニーの各下地合板の加工図である。
【図１３】図１０および図１１に示すバルコニーの各下地合板の加工図である。
【図１４】図１０および図１１に示すバルコニーの板金全体図である。
【図１５】図１４に示す本体１−１の板金加工図である。
【図１６】図１４に示す本体１−２の板金加工図である。
【図１７】図１４に示す本体１−３の板金加工図である。
【図１８】図１４に示す本体１−４，１−５，１−６の板金加工図である。
【図１９】図１４に示す本体１−７の板金加工図である。
【図２０】図１４に示す樋１−１の板金加工図である。
【図２１】図１４に示す樋１−２の板金加工図である。
【図２２】図１４に示す樋１−３の板金加工図である。
【図２３】バルコニー下地割付図である。
【図２４】バルコニー板金部品一覧を示す図である。
【図２５】バルコニーの縦断面図である。
【図２６】図２５のバルコニーの分解斜視図である。
【符号の説明】
【００３９】
１  バルコニー設計装置
２  加工装置
１０  初期設定手段
１１  設計入力手段
１２  下地合板割付手段
１３  加工図生成手段
１４  記憶手段
５０  バルコニー
５１ａ，５１ｂ  下地合板
５２  発泡ポリエチレンシート
５３  ジョイントベース
５４  スプリングキャッチャー
５５  葺上材
５６  カバーキャップ
７０  根太
７１  樋
８０  外壁
８１  手摺壁
【図１】
2008059381.tif 000003
【図２】
2008059381.tif 000004
【図３】
2008059381.tif 000005
【図４】
2008059381.tif 000006
【図５】
2008059381.tif 000007
【図６】
2008059381.tif 000008
【図７】
2008059381.tif 000009
【図８】
2008059381.tif 000010
【図９】
2008059381.tif 000011
【図１０】
2008059381.tif 000012
【図１１】
2008059381.tif 000013
【図１２】
2008059381.tif 000014
【図１３】
2008059381.tif 000015
【図１４】
2008059381.tif 000016
【図１５】
2008059381.tif 000017
【図１６】
2008059381.tif 000018
【図１７】
2008059381.tif 000019
【図１８】
2008059381.tif 000020
【図１９】
2008059381.tif 000021
【図２０】
2008059381.tif 000022
【図２１】
2008059381.tif 000023
【図２２】
2008059381.tif 000024
【図２３】
2008059381.tif 000025
【図２４】
2008059381.tif 000026
【図２５】
2008059381.tif 000027
【図２６】
2008059381.tif 000028